(57)【要約】【課題】  製造工程を単純化し製作原価を節減するのみならず、ノイズ除去の効果に優れ、バリスタの役割が果たせる多連バリスタ−ノイズフィルター複合素子を提供する。【解決手段】  多連バリスタ−ノイズフィルター複合素子は、複数のバリスタ誘電体層が積層されたバリスタ−ノイズフィルター複合素子において、それぞれに接地端子接続部を有する接地パターンが形成された多層の接地誘電体層と、前記接地誘電体層の間に積層され、入力端子接続部と出力端子接続部とを有するインダクターパターンが形成された多層のインダクター誘電体層と、前記各接続部に連結された入出力及び接地端子を備えて構成される。【選択図】  図２
2006295111.tif 000002
【特許請求の範囲】
【請求項１】
複数の誘電体層が積層されたバリスタ−ノイズフィルター複合素子において、誘電体層をバリスタ特性の有する半導性材料から形成し、接地端子接続部
を有する接地パターンが形成された多層の接地誘電体層と、入力端子接続部と出力端子接続部とを有するインダクターパターンが形成された多層のインダクター誘電体層を交互に積層し、前記各入出力端子接続部に入出力及び接地端子を連結して構成し、前記それぞれ一つのインダクター誘電体層がそれぞれ一つのインダクター素子から構成されることを特徴とする多連バリスタ−ノイズフィルター複合素子。
【請求項２】
前記インダクター誘電体層に形成されたインダクターパターンはくねくねとしたメアンダー（meander）構造を有することを特徴とする請求項１に記載の多連バリスタ−ノイズフィルター複合素子。
【請求項３】
前記メアンダー構造を有するインダクターパターンの中段には、他部分よ
り広い広幅部を有することを特徴とする請求項１に記載の多連バリスタ−ノイ
ズフィルター複合素子。
【発明の詳細な説明】
【技術分野】
【０００１】
本発明は、多連バリスタ−ノイズフィルタ複合素子に関するものであって、より詳しくは各バリスタ特性の有する半導性材料からなる誘電体に十分なインダクタンス値を有するようにインダクターパターンを形成してそれぞれのパターンに入出力端子を連結し、インダクターパターンが形成されたバリスタ誘電体の間に接地パターンが形成されたバリスタ誘電体を積層して構成することにより、相異なる層のインダクターパターンを連結するための孔を形成せず複合素子を製造することができるため、製造工程を単純化させ製作原価を節減することによって廉価で提供できるのみならず、ノイズの除去効果に優れ、バリスタ特性を有する積層型多連チップバリスタ−ノイズフィルター複合素子に関するものである。
【背景技術】
【０００２】
電気、電子技術の発達につれて電子機器及び機械はそのサイズは縮小されつつあり、このような趨勢にあわせて電子部品もやはり小型化が加速されている。
【０００３】
このような電子部品の中では、通常には信号中の雑音を除去するノイズフィルターで作動するLC−ノイズフィルターがある。
【０００４】
かかる従来のLC−ノイズフィルターは、図４に示したように多層の誘電体層から構成され、インダクタンス値を上げるため各層に形成されたインダクターパターンを相互連結して構成される。
【０００５】
即ち、１つのインダクターを構成するために、平面を２つまたは４つに分割してそれぞれの平面上にインダクターの一部をパターンとして具現し、多数層に形成されたそれぞれのインダクターパターンを貫通孔を介して連結することによって多連のインダクターを構成した。
【０００６】
このような従来のLC−ノイズフィルターは上述したように相異なる層に形成されたインダクターパターン１を連結するためにパターンの一部に貫通孔１ａを形成し、これら貫通孔１aにインダクター電極を印刷し積層して構成されるため、インダクター電極を形成する工程に対して相当に手間がかかり浪費されるという短所があるのみならず、貫通孔を介したインダクター電極パターンの連結不良による複合素子の不良率が増加して製造にかなり難点があった。
【０００７】
なお、電気的な過負荷、特に静電気、落雷などの異常電圧のようなサージ衝撃から回路を保護するための手段としてバリスタが用いられている。
【０００８】
しかしながら、このようなLCノイズフィルターとバリスタはそれぞれの単一素子から構成されることによって一定の空間に２つの素子をそれぞれ設けなければならないため、回路が複雑になるという短所があった。
【発明の開示】
【発明が解決しようとする課題】
【０００９】
本発明は前記のような従来技術の問題点を解消するために発明したものであって、各誘電体層をバリスタ特性の有する半導性材料から形成し、バリスタ誘電体層に形成されたインダクターパターンを十分なインダクタンス値を得るに十分な長さを持つように形成してそれぞれのバリスタ誘電体層が１つの素子役割が果たせるようにし、これを積層して構成した積層型多連バリスタ−ノイズフィルター複合素子を提供することを目的とする。
【００１０】
即ち、各誘電体層に形成されたパターンを電気的に接続するための孔を形成せず製造することができるため、製造工程を単純化させ容易に製造できるのみならず、LCノイズフィルターの役割は勿論バリスタの役割ができる積層型多連バリスタ−ノイズフィルター複合素子を提供することを目的とする。
【課題を解決するための手段】
【００１１】
前記のような本発明の目的は、複数の誘電体層が積層されたノイズフィルター複合素子において、誘電体層をバリスタ特性の有する半導性材料から形成し、接地端子接続部を有する接地パターンが形成された多層の接地誘電体層と、入力端子接続部と出力端子接続部とを有するインダクターパターンが形成された多層のインダクター誘電体層を交互に積層し、前記各接続部に連結された入出力及び接地端子を連結して構成し、前記各誘電体層に形成されたインダクターパターンはパターンの長さを延長させ各誘電体層に形成されたインダクターパターンが１つのインダクタンスを具現するように構成されることを特徴とする積層型多連バリスタ−ノイズフィルタ複合素子によってなる。
【００１２】
以下、本発明による積層型多連バリスタ−ノイズフィルター複合素子の一例を添付した図面を参照して詳細に説明する。
【００１３】
図１は本発明による積層型多連バリスタ−ノイズフィルター複合素子の一例を示す斜視図であり、図２は本発明による積層型多連バリスタ−ノイズフィルター複合素子の積層構造を示す組立斜視図であり、図３の（ａ）乃至（ｄ）は本発明による積層型多連バリスタ−ノイズフィルター複合素子の積層構造に使用されるインダクターパターンの合い異なる一例を示す平面図である。
【００１４】
図示したように本発明による積層型多連バリスタ−ノイズフィルター複合素子は１つ以上のインダクターパターンを備える誘電体２１−２４層と前記各インダクター誘電体２１−２４層との間に積層された接地パターンを含む誘電体１０層から構成される。
【００１５】
また、積層された各誘電体１０、２１−２４に形成されたインダクターパターンと接地パターンに形成された端子接続部１１、１２、２１a、２１ｂ、２２a、２２ｂ、２３a、２３ｂ、２４a、２４ｂは外部へ露出された端子１２１a−１２４ｂ、１１１、１１２と電気的に接続している。
【００１６】
前記接地パターンが印刷された接地誘電体１０の中最上段に形成された接地誘電体１０層の上部には蓋３０をさらに設けて接地パターンが外部へ露出されることを防止した。
【００１７】
前記接地パターンが形成された接地誘電体１０層は図２に示したようにそれぞれの層が互いに同一の構造を有し、長さ方向の両段には接地端子１１１、１１２と接続される接地端子接続部１１、１２とがそれぞれ形成されており、各層が積層された状態で接地端子１１１、１１２が接続される。
【００１８】
前記接地パターンが形成された接地誘電体１０層の間に積層されたインダクター誘電体２１−２４層はそれぞれの層が１つのインダクタンスを具現する単一素子で作動するものであって、各層に形成されたインダクターパターンはその長さが十分に長く形成される。
【００１９】
即ち、前記インダクターパターンが形成された誘電体２１−２４層は図２乃至図３（ｄ）に示したように数回の屈曲を形成してくねくねと形成することによってインダクタンス値を上げることができるように形成され、それぞれには入力端子接続部２１a、２２a、２３a、２４a、１１０a、１２０a、１３０a、１４０aと出力端子接続部２１ｂ、２２ｂ、２３ｂ、２４ｂ、１１０ｂ、１２０ｂ、１３０ｂ、１４０ｂとが形成されており、各層が積層された状態では図１に示したように入出力端子１２１a、１２２a、１２３a、１２４a、１２１ｂ、１２２ｂ、１２３ｂ、１２４ｂが接続される。
【００２０】
前記インダクターパターンが形成された誘電体２１−２４層は中段層に積層された接地誘電体１０層を中心に互いに対称の構造を有するように形成されている。
【００２１】
また、前記インダクターパターンが形成された誘電体２１−２４層のインダクターパターンは図３の（a）乃至（ｄ）に示したようにくねくねと形成してインダクタンス値が上がるようにし、くねくねと形成されたインダクターパターンの中段には他部分より広い面積を有する広幅部１３０ｃ、１４０ｃを形成することによって静電容量を高めることができる。
【００２２】
前記のように構成された本発明による積層型多連バリスタ−ノイズフィルター複合素子は特定周波数の範囲を外したノイズが入力端子１２１a、１２２a、１２３a、１２４aを通して入力されると、全体素子が１つのフィルターの役割を果たしてノイズをフィルタリングし、落雷や静電気などの必要以上の電圧が入力端子１２１a、１２２a、１２３a、１２４aを通して入力されると、全体素子は１つのバリスタの役割を果たして過電圧を接地端子へ放出して後続の電子素子を保護する。
【００２３】
前記のように構成された本発明による多連バリスタ−ノイズフィルター複合素子の各誘電体層はバリスタ特性の有する半導性物質から作られる。
【発明の効果】
【００２４】
前記のような本発明による多連バリスタ−ノイズフィルター複合素子は誘電体層に形成されたインダクターパターンを十分なインダクタンス値を得るに十分な長さを有するように形成してそれぞれの誘電体層が１つの素子の役割が果たせるようにし、これを積層して多連で構成することによって少ない体積に十分なインダクタンス値を有するように具現することができ、各層を連結する孔を形成せず製造することができるため、製造工程を単純化させ製作単価を低くし廉価の複合素子を提供することができる。
【００２５】
なお、通常にはLCノイズフィルターの役割を果たし、過負荷、特に静電気、落雷などの異常電圧のようなサージ衝撃が入力されると、バリスタの役割を果たして回路を保護することができる。
【図面の簡単な説明】
【００２６】
【図１】本発明による積層型多連バリスタ−ノイズフィルター複合素子の一例を示す斜視図である。
【図２】本発明による積層型多連バリスタ−ノイズフィルター複合素子の積層構造を示す組立斜視図である。
【図３】（ａ）乃至（ｄ）は 本発明による積層型多連バリスタ−ノイズフィルター複合素子の積層構造に使用されるインダクターパターンの相異なる一例を示す平面図である。
【図４】従来のL-Cノイズフィルター複合素子の積層構造を示す組立斜視図である。
【符号の説明】
【００２７】
１０、２１、２２、２３、２４：誘電体
１１、１２：接地端子連結部
２１ａ、２２ａ、２３ａ、２４ａ、１１０ａ、１２０ａ、１３０ａ、
１４０ａ：入力端子連結部
２１ｂ、２２ｂ、２３ｂ、２４ｂ、１１０ｂ、１２０ｂ、１３０ｂ、
１４０ｂ：出力端子連結部
１１１、１１２：接地端子
１２１ａ、１２２ａ、１２３ａ、１２４ａ：入力端子
１２１ｂ、１２２ｂ、１２３ｂ、１２４ｂ：出力端子 
【図１】
2006295111.tif 000003
【図２】
2006295111.tif 000004
【図３】
2006295111.tif 000005
【図４】
2006295111.tif 000006